(57)【要約】【課題】部品点数の増加および組立工数の増加を抑制することが可能な液晶表示装置を提供する。【解決手段】この液晶テレビジョン装置（液晶表示装置）１００は、ＬＥＤ５０と、液晶セル３５および液晶セル３５に積層されＬＥＤ５０からの光を液晶セル３５に導く導光板３０を含む液晶モジュール４０と、ＬＥＤ５０および液晶モジュール４０を収容するとともに、液晶セル３５および導光板３０の少なくとも一方を直接的に位置決めする位置決め部１１、１２および１３が内部に一体的に形成されたキャビネット８０とを備える。【選択図】図２
2012220762.tif 000002
【特許請求の範囲】
【請求項１】
光源と、
液晶セルおよび前記液晶セルに積層され前記光源からの光を前記液晶セルに導く導光板を含む液晶モジュールと、
前記光源および前記液晶モジュールを収容するとともに、前記液晶セルおよび前記導光板の少なくとも一方を直接的に位置決めする位置決め部が内部に一体的に形成された筺体とを備える、液晶表示装置。
【請求項２】
前記位置決め部は、前記液晶セルおよび前記導光板の少なくとも一方の縁部を位置決めする突起部を含む、請求項１に記載の液晶表示装置。
【請求項３】
前記筺体は、前側筺体と、後側筺体とを含み、
前記突起部は、前記後側筺体に一体的に設けられるとともにリブ状に形成されている、請求項２に記載の液晶表示装置。
【請求項４】
前記筺体に位置決めされて収容された前記導光板および前記液晶セルは、前記前側筺体および前記後側筺体により挟まれて固定されている、請求項３に記載の液晶表示装置。
【請求項５】
前記突起部は、略水平方向に延びるとともに、前記液晶セルおよび前記導光板のそれぞれの下面の垂直方向の位置決めを行う第１突起部と、
略垂直方向に延びるとともに、前記液晶セルおよび前記導光板それぞれの側面の水平方向の位置決めを行う第２突起部とを含む、請求項２〜４のいずれか１項に記載の液晶表示装置。
【請求項６】
前記第１突起部および前記第２突起部は、それぞれ前記液晶セルおよび前記導光板の両方の位置決めを行うように構成されている、請求項５に記載の液晶表示装置。
【請求項７】
前記突起部は、前記液晶セルおよび前記導光板のそれぞれの上部の垂直方向および水平方向の位置決めを行う第３突起部を含む、請求項５または６に記載の液晶表示装置。
【請求項８】
前記突起部は、複数形成されるとともに、前記液晶セルおよび前記導光板の四隅近傍にそれぞれ配置されている、請求項２〜７のいずれか１項に記載の液晶表示装置。
【請求項９】
前記導光板は、前記突起部と係合する凹部を含む、請求項２〜８のいずれか１項に記載の液晶表示装置。
【請求項１０】
光源と、
テレビジョン放送を受信する受信部と、
液晶セルおよび前記液晶セルに積層され前記光源からの光を前記液晶セルに導く導光板を含む液晶モジュールと、
前記光源および前記液晶モジュールを収容するとともに、前記液晶セルおよび前記導光板の少なくとも一方を直接的に位置決めする位置決め部が内部に一体的に形成された筺体とを備える、液晶テレビジョン装置。
【発明の詳細な説明】
【技術分野】
【０００１】
この発明は、液晶表示装置および液晶テレビジョン装置に関し、特に、液晶セルおよび導光板を備えた液晶表示装置および液晶テレビジョン装置に関する。
【背景技術】
【０００２】
従来、液晶セルおよび導光板を備えた液晶表示装置が知られている（たとえば、特許文献１参照）。
【０００３】
上記特許文献１に記載の液晶モジュールでは、液晶パネル（液晶セル）および導光板の周縁部全体が、額縁状の樹脂枠の内周部に当接して収容されるとともに、樹脂枠が裏ケースに収容されて、液晶モジュールとして組み立てられる。組立てられた液晶モジュールは、裏ケースに設けられた固定用の取り付け部によって筺体の所定の取付位置に取り付けられる。つまり、樹脂枠および裏ケースは、それぞれ、液晶パネル（液晶セル）および導光板を筺体の所定の取付位置に取り付ける際の位置決め部材であると考えられる。
【先行技術文献】
【特許文献】
【０００４】
【特許文献１】特開２００６−２０１２１０号公報
【発明の概要】
【発明が解決しようとする課題】
【０００５】
しかしながら、上記特許文献１に記載の液晶モジュールでは、液晶パネルおよび導光板のそれぞれの位置決めを行うために、位置決め部材である樹脂枠および裏ケースを設ける必要があるので、部品点数が増加するとともに、組立工数が増加するという問題点がある。
【０００６】
この発明は、上記のような課題を解決するためになされたものであり、この発明の１つの目的は、部品点数の増加および組立工数の増加を抑制することが可能な液晶表示装置および液晶テレビジョン装置を提供することである。
【課題を解決するための手段および発明の効果】
【０００７】
この発明の第１の局面による液晶表示装置は、光源と、液晶セルおよび液晶セルに積層され光源からの光を液晶セルに導く導光板を含む液晶モジュールと、光源および液晶モジュールを収容するとともに、液晶セルおよび導光板の少なくとも一方を直接的に位置決めする位置決め部が内部に一体的に形成された筺体とを備える。
【０００８】
この発明の第１の局面による液晶表示装置では、上記のように、液晶セルおよび導光板の少なくとも一方を直接的に位置決めする位置決め部が、内部に一体的に形成された筺体を設けることによって、液晶セルおよび導光板を位置決めするための位置決め部材を別途設ける必要がないため、その分、部品点数の増加および組立工数の増加を抑制することができる。
【０００９】
上記第１の局面による液晶表示装置において、好ましくは、位置決め部は、液晶セルおよび導光板の少なくとも一方の縁部を位置決めする突起部を含む。このように構成すれば、筺体内に突起部を設けるだけで容易に液晶セルおよび導光板の少なくとも一方の位置決めを行うことができる。
【００１０】
この場合、好ましくは、筺体は、前側筺体と、後側筺体とを含み、突起部は、後側筺体に一体的に設けられるとともにリブ状に形成されている。このように構成すれば、表示面側である前側筺体よりも設計上の制限が少ない後側筺体に突起部が形成されるので、位置決め部としての突起部を後側筺体に設けたとしても、設計の自由度が制限されるのを抑制することができる。
【００１１】
上記筺体が前側筺体と後側筺体とを含む構成において、好ましくは、筺体に位置決めされて収容された導光板および液晶セルは、前側筺体および後側筺体で挟まれて固定されている。このように構成すれば、導光板および液晶セルを固定するのに固定部材を別途設ける必要がないので、部品点数の増加および組立工数の増加をより抑制することができる。
【００１２】
上記位置決め部が突起部を含む構成において、好ましくは、突起部は、略水平方向に延びるとともに、液晶セルおよび導光板それぞれの下面の垂直方向の位置決めを行う第１突起部と、略垂直方向に延びるとともに、液晶セルおよび導光板それぞれの側面の水平方向の位置決めを行う第２突起部とを含む。このように構成すれば、略水平方向に延びる第１突起部および略垂直方向に延びる第２突起部により、液晶セルおよび導光板に対する位置決めを部分の長さを大きくすることができるので、安定した位置決めを行うことができる。
【００１３】
この場合、好ましくは、第１突起部および第２突起部は、液晶セルおよび導光板の両方の位置決めを行うように構成されている。このように構成すれば、共通の第１突起部および第２突起部によって、液晶セルおよび導光板の両方の位置決めが行われるので、液晶表示装置の構造を簡素化することができる。
【００１４】
上記突起部が第１突起部と第２突起部とを含む構成において、好ましくは、突起部は、液晶セルおよび導光板それぞれの上部の垂直方向および水平方向の位置決めを行う第３突起部を含む。このように構成すれば、水平方向および下方向の位置決めに加えて、第３突起部により、液晶セルおよび導光板の上方向の位置決めが行われるので、より安定した位置決めを行うことができる。
【００１５】
上記位置決め部が突起部からなる構成において、好ましくは、突起部は、複数形成されるとともに、液晶セルおよび導光板の四隅近傍にそれぞれ配置されている。このように構成すれば、液晶セルおよび導光板の位置決めを、２つまたは３つの隅部の突起部によって行う場合に比べて、より安定した位置決めを行うことができる。
【００１６】
上記位置決め部が突起部からなる構成において、好ましくは、導光板は、突起部と係合する凹部を含む。このように構成すれば、突起部と導光板とを係合させることができるので、より確実に位置決めを行うことができる。
【００１７】
この発明の第２の局面による液晶テレビジョン装置は、光源と、テレビジョン放送を受信する受信部と、液晶セルおよび液晶セルに積層され光源からの光を液晶セルに導く導光板を含む液晶モジュールと、光源および液晶モジュールを収容するとともに、液晶セルおよび導光板の少なくとも一方を直接的に位置決めする位置決め部が内部に一体的に形成された筺体とを備える。
【００１８】
この第２の局面による液晶テレビジョン装置では、上記のように、液晶セルおよび導光板の少なくとも一方を直接的に位置決めする位置決め部が、内部に一体的に形成された筺体を設けることによって、液晶セルおよび導光板を位置決めするための位置決め部材を別途設ける必要がないため、その分、部品点数の増加および組立工数の増加を抑制することができる。
【図面の簡単な説明】
【００１９】
【図１】本発明の一実施形態による液晶テレビジョン装置の全体構成を示した斜視図である。
【図２】図１に示した液晶テレビジョン装置における液晶テレビジョン装置本体の内部構造を示した分解斜視図である。
【図３】図２に示した液晶テレビジョン装置本体におけるリアキャビネット部の構成を示した正面図である。
【図４】図２に示した液晶テレビジョン装置本体における導光板の構成を示した正面図である。
【図５】図２に示した液晶テレビジョン装置本体におけるリアキャビネットに導光板を位置決めした状態を示した正面図である。
【図６】図５に示したリアキャビネットにさらに液晶セルを位置決めした状態を示した正面図である。
【図７】図１に示したフロントキャビネットの背面部の構造を示した斜視図である。
【図８】図６に示したリアキャビネットにさらにフロントキャビネットを係合した状態における、５００−５００線に沿った断面図である。
【図９】図６に示したリアキャビネットにさらにフロントキャビネットを係合した状態における、６００−６００線に沿った断面図である。
【発明を実施するための形態】
【００２０】
以下、図１〜図９を参照して、本発明の一実施形態による液晶テレビジョン装置１００の構成について説明する。液晶テレビジョン装置１００は、本発明の液晶表示装置の一例である。
【００２１】
本実施形態による液晶テレビジョン装置１００は、図１および図２に示すように、リアキャビネット１０と、反射シート２０と、導光板３０と、液晶セル３５と、シート４５と、ＬＥＤ５０と、フロントキャビネット６０と、テレビジョン放送を受信するチューナ７０とを備えている。反射シート２０、導光板３０、液晶セル３５およびシート４５は順次積層されてリアキャビネット１０に収容されている。なお、リアキャビネット１０およびフロントキャビネット６０により、キャビネット８０が構成され、導光板３０および液晶セル３５により、液晶モジュール４０が構成されている。ＬＥＤ５０は、電源（図示せず）と接続され、リアキャビネット１０内の導光板３０の下部に配置されている。反射シート２０、導光板３０、液晶セル３５、シート４５、ＬＥＤ５０およびチューナ７０を収容したリアキャビネット１０に、フロントキャビネット６０が嵌め合わされて液晶テレビジョン装置１００（図１）が構成されている。なお、リアキャビネット１０は、本発明の「後側筺体」の一例であり、フロントキャビネット６０は、本発明の「前側筺体」の一例である。また、キャビネット８０は、本発明の「筺体」の一例であり、ＬＥＤ５０は、本発明の「光源」の一例である。また、チューナ７０は、本発明の「受信部」の一例である。
【００２２】
ここで、本実施形態では、樹脂製のリアキャビネット１０には、図３に示すように、位置決め部１１、位置決め部１２および位置決め部１３が、それぞれ２つずつ、リアキャビネット１０に一体的に形成されている。なお、位置決め部１１は、本発明の「突起部」および「第１突起部」の一例である。また、位置決め部１２は、本発明の「突起部」および「第２突起部」の一例である。また、位置決め部１３は、本発明の「突起部」および「第３突起部」の一例である。
【００２３】
各位置決め部１１、位置決め部１２および位置決め部１３は、リアキャビネット１０の内側（矢印Ｙ１方向、図２参照）に突出するように形成されたリブ状の突起部からなる。各位置決め部１１、位置決め部１２および位置決め部１３は、共通の高さ（突出高さ）ｈ（図８参照）を有する。
【００２４】
リアキャビネット１０に形成された一対の位置決め部１１は、それぞれ略水平方向（矢印Ｘ１方向および矢印Ｘ２方向）に延びるように、リアキャビネット１０の内面（矢印Ｙ１方向側表面）の下方の隅近傍に形成されている。位置決め部１１は、略水平な平坦面状の上面からなる当接面１１ａを有する。当接面１１ａは、導光板３０の下端面である凹部３１ａおよび凹部３１ｂ（図５参照）と、液晶セル３５の下端面３５ａ（図６参照）とに当接して、導光板３０および液晶セル３５の位置決めをするために設けられている。
【００２５】
リアキャビネット１０に形成された一対の位置決め部１２は、それぞれ、略垂直方向（矢印Ｚ１方向および矢印Ｚ２方向）に延びるように、リアキャビネット１０の内面の下方の両隅近傍にリアキャビネット１０と一体的に形成されている。矢印Ｘ１方向側の隅部近傍の位置決め部１２は、矢印Ｘ２方向側の側面により、略垂直な平坦面からなる当接面１２ａが構成されている。当接面１２ａは、導光板３０の側端面である凹部３１ｃ（図５参照）と、液晶セル３５の側端面３５ｂ（図６参照）とに当接して、導光板３０および液晶セル３５の位置決めをするために設けられている。矢印Ｘ２方向側の隅部近傍の位置決め部１２には、矢印Ｘ１方向側の側面により、略垂直な平坦面からなる当接面１２ｂが構成されている。当接面１２ｂは、導光板３０の側端面である凹部３１ｈ（図５参照）と、液晶セル３５の側端面３５ｄ（図６参照）との位置決めをするために設けられている。
【００２６】
リアキャビネット１０に形成された一対の位置決め部１３は、略垂直方向（矢印Ｚ１方向および矢印Ｚ２方向）に延びるとともに、上部から略水平方向（矢印Ｘ１方向および矢印Ｘ２方向）に延びる部分を有し、リアキャビネット１０の内面（矢印Ｙ１方向）の上方の両隅近傍にリアキャビネット１０と一体的に形成されている。矢印Ｘ１方向の隅部付近の位置決め部１３には、矢印Ｘ２方向側の側面により、略垂直な平坦面からなる当接面１３ａが構成されているとともに、矢印Ｚ２方向側の下面により、略水平な平坦面からなる当接面１３ｂが構成されている。当接面１３ａは、導光板３０の側端面である凹部３１ｄ（図５参照）と、液晶セル３５の側端面３５ｂ（図６参照）とに当接して、導光板３０および液晶セル３５の位置決めをするために設けられており、当接面１３ｂは、導光板３０の側端面である凹部３１ｅ（図５参照）と、液晶セル３５の上端面３５ｃ（図６参照）との位置決めをするために設けられている。矢印Ｘ２方向の隅部付近の位置決め部１３には、矢印Ｘ１方向側の側面により、略垂直な平坦面からなる当接面１３ｃが構成されているとともに、矢印Ｚ２方向側の下面により、略水平な平坦面からなる当接面１３ｄが構成されている。当接面１３ｃは、導光板３０の側端面である凹部３１ｇ（図５参照）と、液晶セル３５の側端面３５ｄ（図６参照）との位置決めをするために設けられており、当接面１３ｄは、導光板３０の側端面である凹部３１ｆ（図５参照）と、液晶セル３５の上端面３５ｃ（図６参照）との位置決めをするために設けられている。
【００２７】
また、図９に示すように、リアキャビネット１０の外側上面には、水平方向（矢印Ｘ１方向および矢印Ｘ２方向）に沿って係合部１４が形成されている。そして、この係合部１４は、フロントキャビネット６０の内側上面に形成された係合部６５と係合するように構成されている。同様に、リアキャビネット１０の下面には、水平方向（矢印Ｘ１方向および矢印Ｘ２方向）に沿って係合部１５が形成されている。そして、この係合部１５は、後述するフロントキャビネット６０の内側下面に形成された係合部６６と係合するように構成されている。
【００２８】
反射シート２０は、図２に示すように、導光板３０と略同様の形状に形成されている。反射シート２０は、導光板３０の背面（矢印Ｙ２方向）側に設けられており、導光板３０の背面側に漏れ出した光を導光板３０に向けて反射させて、液晶セル３５の輝度を上昇させる機能を有する。
【００２９】
導光板３０は、図４に示すように、四隅近傍に凹部３１（３１ａ〜３１ｈ）が形成されている。これらの凹部３１は、図５に示すように、導光板３０をリアキャビネット１０に収容したときに、リアキャビネット１０の導光板３０の位置決めを行う位置決め部１１、位置決め部１２および位置決め部１３が形成された位置に対応する位置に形成されている。液晶表示装置１００の使用時において、導光板３０は、ＬＥＤ５０により光を照射され、加熱して膨張する。導光板３０の膨張に対応できるように、この凹部３１は、位置決め部１１、位置決め部１２および位置決め部１３と部分的に当接する形状に構成されている。具体的には、図５に示すように、導光板３０の下端面である凹部３１ａおよび３１ｂは、それぞれ、当接面１１ａとおよび１１ｂと当接する。それにより、導光板３０が垂直方向に位置決めされる。また、導光板３０の側端面に位置する凹部３１ｃは、矢印Ｘ１方向の下方隅部に位置する当接面１２ａと当接し、導光板３０の側端面に位置する凹部３１ｄは、矢印Ｘ１方向の上方隅部に位置する当接面１３ａと当接する。それにより、導光板３０が水平方向に位置決めされる。言い換えれば、導光板３０は、当接面１１ａおよび１１ｂを結ぶ線分Ｌ１（破線、図５参照）の高さ位置に位置合わせすることによって、垂直方向に位置決めされる。また、導光板３０は、矢印Ｘ１方向側の当接面１２ａおよび当接面１３ａを結ぶ線分Ｌ２（破線、図５参照）の側方位置に位置合わせすることによって、水平方向に位置決めされる。
【００３０】
液晶セル３５は、図６に示すように、リアキャビネット１０の位置決め部１１、位置決め部１２、および位置決め部１３の当接面１１ａ、１１ｂ、１２ａ、１２ｂ、１３ａ〜１３ｄによって囲まれた形状と対応した略矩形形状に構成されている。具体的には、液晶セル３５の幅Ｗｃは、位置決め部１２の当接面１２ａおよび当接面１２ｂ（位置決め部１３の当接面１３ａおよび当接面１３ｃ）の幅Ｗ０（図３参照）と略同一である。また、液晶セル３５の高さＨｃは、矢印Ｘ１方向側（または矢印Ｘ２方向側）において、位置決め部１１の当接面１１ａから位置決め部１３の当接面１３ｂまでの高さＨ０（図３参照）と略同一である。これにより、液晶セル３５は、位置決め部１１、位置決め部１２および位置決め部１３によって、ぐらつくことなく位置決めされることが可能になる。また、液晶セル３５の下端面３５ａは、当接面１１ａおよび１１ｂと当接され、液晶セル３５の上端面３５ｃは、当接面１３ｂおよび１３ｄと当接されることによって、液晶セル３５が垂直方向に位置決めされる。また、液晶セル３５の矢印Ｘ１方向側の側端面３５ｂは、当接面１２ａおよび当接面１３ａと当接し、液晶セル３５の矢印Ｘ２方向側の側端面３５ｄは、当接面１２ｂおよび当接面１３ｃと当接して、液晶セル３５は水平方向に位置決めされる。これによって、液晶セル３５は、位置決めされた状態で、先にリアキャビネット１０に収納されている導光板３０（図５参照）の上に積層される。
【００３１】
また、図６に示すように、液晶セル３５が、リアキャビネット１０に収容された状態において、導光板３０の領域３０ａ、３０ｂ、３０ｃ、３０ｄは、液晶セル３５の４辺から外側にはみ出るように構成されている。
【００３２】
また、図２に示すように、シート４５が、液晶セル３５の矢印Ｙ１方向側の表面上に設けられている。シート４５は、液晶セル３５と略同様の矩形形状に構成されている。本実施形態では、シート４５として、液晶表示装置１００の使用目的に合わせて、反射防止シート、視野角向上シート、輝度向上シートなどのシートが用いられる。
【００３３】
フロントキャビネット６０は、図７に示すように、略矩形形状の枠体により構成されている。フロントキャビネット６０の矢印Ｙ２方向側の背面には、第１係止片６１および第２係止片６２が形成されている。第１係止片６１とリアフレーム１０との間に、反射シート２０、導光板３０、液晶セル３５およびシート４５が、隙間なく挟み込まれ、第２係止片６２とリアフレーム１０との間に、反射シート２０および導光板３０が、隙間なく挟み込まれる。
【００３４】
第１係止片６１は、図７に示すように、略矩形状で周状に対向して延びる２つのリブにより構成されている。具体的には、第１係止片６１は、フロントキャビネット６０の略矩形状の内周部６３の周囲に沿うとともに、フロントキャビネット６０の背面から矢印Ｙ２方向に突出するように、フロントキャビネット６０に一体的に形成されている。この第１係止片６１は、液晶セル３５（シート４５）の縁部近傍に当接するように形成されている。
【００３５】
図８および図９に示すように、反射シート２０、導光板３０、液晶セル３５およびシート４５それぞれの厚みを合計した厚みｔは、位置決め部１１、位置決め部１２および位置決め部１３それぞれの高さｈよりもやや小さくなるように形成されている。そして、第１係止片６１の高さｈ１は、位置決め部１１、位置決め部１２および位置決め部１３それぞれの高さｈと、反射シート２０、導光板３０、液晶セル３５およびシート４５それぞれの厚みを合計した厚みｔとの差（ｈ１＝ｈ−ｔ）と略等しくなるように構成されている。これにより、第１係止片６１とリアキャビネット１０との間に、反射シート２０、導光板３０、液晶セル３５およびシート４５を隙間なく挟み込んで確実に固定することが可能になる。
【００３６】
また、第２係止片６２（６２ａ〜６２ｆ）は、図７に示すように、垂直方向に連続的に延びるように形成されたリブ６２ａおよび６２ｂと、水平方向に連続的に延びるように形成されたリブ６２ｃ〜６２ｅと、水平方向に断続的に延びるように形成された７つのリブ６２ｆとにより構成されている。具体的には、第２係止片６２（６２ａ〜６２ｆ）は、フロントキャビネット６０の第１係止片６１よりも外側部分から、フロントキャビネット６０の背面（矢印Ｙ２方向）に向けて延びて、フロントキャビネット６０に一体的に形成されている。
【００３７】
図６に示すように、垂直方向（矢印Ｚ１方向および矢印Ｚ２方向）に延びる第２係止片６２ａおよび６２ｂは、それぞれ、液晶セル３５から矢印Ｘ２方向にはみ出る導光板３０の領域３０ｄと、液晶セル３５から矢印Ｘ１方向にはみ出る導光板３０の領域３０ｂとに、当接するように形成されている。また、水平方向（矢印Ｘ１方向および矢印Ｘ２方向）に延びる第２係止片６２（６２ｃ〜６２ｆ）は、液晶セル３５から矢印Ｚ１方向にはみ出る導光板３０の領域３０ｃと、液晶セル３５から矢印Ｚ２方向にはみ出る導光板３０の領域３０ａとに当接するように形成されている。
【００３８】
図８に示すように、反射シート２０の厚みおよび導光板３０の厚みを合計した厚みｔ１は、位置決め部１１、位置決め部１２および位置決め部１３の高さｈより小さくなるように形成されている。そして、第２係止片６２の高さｈ２は、位置決め部１１、位置決め部１２、および位置決め部１３それぞれの高さｈと、反射シート２０の厚みおよび導光板３０の厚みを合計した厚みｔ１との差（ｈ２＝ｈ−ｔ１）と略等しくなるように構成されている。これにより、第２係止片６２とリアフレーム１との間に、反射シート２０および導光板３０を隙間なく挟み込んで、確実に固定が行われる。また、これらの第１係止片６１および第２係止片６２により、ネジなどの固定部材を使用して、反射シート２０および導光板３０を固定しなくてよいので、組立工数の増加を抑制することが可能になる。
【００３９】
本実施形態では、上記のように、液晶セル３５および導光板３０を直接的に位置決めする位置決め部１１、位置決め部１２および位置決め部１３が、内部に一体的に形成されたリアキャビネット１０を設けることによって、液晶セル４０および導光板３０を位置決めするための位置決め部材を別途設ける必要がないため、その分、部品点数の増加および組立工数の増加を抑制することができる。
【００４０】
本実施形態では、上記のように、位置決め部１１、位置決め部１２および位置決め部１３を、液晶セル３５および導光板３０の縁部を位置決めする突起部とすることによって、筺体７０内に突起部を設けるだけで容易に液晶セル３５および導光板３０の位置決めを行うことができる。
【００４１】
本実施形態では、上記のように、位置決め部１１、位置決め部１２および位置決め部１３を、リアキャビネット１０に一体的に設けるとともにリブ状に形成することによって、表示面側であるフロントキャビネット６０よりも設計上の制限が少ないリアキャビネット１０に突起部が形成されるので、位置決め部としての突起部を後側筺体に設けたとしても、設計の自由度が制限されるのを抑制することができる。
【００４２】
本実施形態では、上記のように、導光板３０および液晶セル３５を、フロントキャビネット６０およびリアキャビネット１０で挟み込んで固定することによって、導光板３０および液晶セル３５を固定するのに固定部材を別途設ける必要がないので、部品点数の増加および組立工数の増加をより抑制することができる。
【００４３】
本実施形態では、上記のように、略水平方向に延びるとともに、液晶セル３５および導光板３０それぞれの下面の垂直方向の位置決めを行う位置決め部１１と、略垂直方向に延びるとともに、液晶セル３５および導光板３０それぞれの側面の水平方向の位置決めを行う位置決め部１２とを設けることによって、略水平方向に延びる位置決め部１１および略垂直方向に延びる位置決め部１２により、液晶セル３５および導光板３０に対する位置決め部分の長さを大きくすることができるので、安定した位置決めを行うことができる。
【００４４】
本実施形態では、上記のように、位置決め部１１および位置決め部１２を、液晶セル３５および導光板３０の両方の位置決めを行うように構成することによって、共通の位置決め部１１および位置決め部１２により、液晶セル３５および導光板３０を位置決めが行われるので、液晶表示装置１００の構造を簡素化することができる。
【００４５】
本実施形態では、上記のように、液晶セル３５および導光板３０それぞれの上部の垂直方向および水平方向の位置決めを行う位置決め部１３を設けることによって、水平方向および下方向の位置決めに加えて、位置決め部１３により、液晶セル３５および導光板３０の上方向の位置決めが行われるので、より安定した位置決めを行うことができる。
【００４６】
本実施形態では、上記のように、位置決め部１１、位置決め部１２および位置決め部１３を、複数設けることによって、液晶セル３５および導光板３０の四隅近傍にそれぞれ配置されることによって、液晶セル３５および導光板３０の位置決めを、２つまたは３つの隅部の突起部によって行う場合に比べて、より安定した位置決めを行うことができる。
【００４７】
本実施形態では、上記のように、導光板３５に、位置決め部１１、位置決め部１２および位置決め部１３と係合する凹部３１（３１ａ〜３１ｄ）を設けることによって、突起部と導光板３０とを係合させることができるので、より確実に位置決めを行うことができる。
【００４８】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００４９】
上記実施形態では、位置決め部が、リアキャビネット１０の内部に形成されている例を示したが、本発明はこれに限られない。位置決め部は、フロントキャビネットの内部に形成されていてもよい。また、位置決め部は、フロントキャビネットおよびリアキャビネットの両方に形成されていてもよい。
【００５０】
上記実施形態では、液晶セル３５および導光板３０の両方を位置決めする位置決め部が形成されている例を示したが、本発明はこれに限られない。位置決め部は、液晶セルまたは導光板のいずれか一方のみの位置決めを行ってもよい。
【００５１】
上記実施形態では、ＬＥＤ５０が、導光板３０の下部に設置された例を示したが、本発明はこれに限られない。ＬＥＤは、導光板に対して光を照射可能な位置であればよく、導光板の上部または側部に設置されてもよい。また、上記一実施形態では、光源としてＬＥＤ５０を用いた例を示したが、本発明はこれに限られない。ＬＥＤに代えて、冷陰極管、蛍光灯を用いてもよい。
【００５２】
上記実施形態では、フロントキャビネット６０の第２係止片６２（６２ａ〜６２ｆ）は、垂直方向に連続的に延びるように形成されたリブ６２ａおよび６２ｂと、水平方向に連続的に延びるように形成されたリブ６２ｃ〜６２ｅと、水平方向に断続的に延びるように形成されたリブ６２ｆとにより構成した例を示したが、本発明はこれに限らない。第２係止片は、連続的に延びるリブのみ、または断続的に延びるリブのみで形成してもよい。
【００５３】
上記実施形態では、導光板３０の凹部を、導光板３０の四隅近傍に形成した例を示したが、本発明はこれに限らない。導光板の四隅近傍に加えて、導光板の周縁部全体に形成されていてもよく、また凹部を設けなくてもよい。
【００５４】
上記実施形態では、導光板３０に形成される凹部の形状を、略矩形に形成した例を示したが、本発明はこれに限らない。位置決め部により、導光板の位置決めを行うことができるものであれば、三角形や円弧状などの他の形状であってもよい。
【００５５】
上記実施形態では、フロントキャビネット６０およびリアキャビネット１０を、係合部を介して係合することにより固定する例を示したが、本発明はこれに限らない。ねじや接着剤などを用いて、フロントキャビネットおよびリアキャビネットを固定してもよい。
【００５６】
上記実施形態では、位置決め部を、合計６つ（２つの位置決め部１１、２つの位置決め部１２および２つの位置決め部１３）形成した例を示したが、本発明はこれに限らない。位置決め部の数は、１〜５つ、または７つ以上であってもよい。
【００５７】
上記実施形態では、リブ状の突起部からなる位置決め部を形成した例を示したが、本発明はこれに限らない。位置決め部は、導光板の端面および表面の縁部と当接するように屈曲したフック形状でもよい。
【００５８】
上記実施形態では、位置決め部は、液晶セル３５および導光板３０の位置決めを行うように形成した例を示したが、本発明はこれに限らない。位置決め部は、液晶セルおよび導光板のいずれか一方のみの位置決めを行うように形成されていてもよい。
【００５９】
上記実施形態では、共通の位置決め部により、液晶セル３５および導光板３０の両方の位置決めを行うように構成した例を示したが、本発明はこれに限らない。液晶セルの位置決めのための位置決め部と、導光板の位置決めのための位置決め部とを個別に設けてもよい。
【００６０】
上記実施形態では、位置決め部をリアキャビネット１０の四隅に設けた例を示したが、本発明はこれに限らない。位置決め部は、四隅に設けなくてもよく、下側だけでもよい。
【００６１】
上記実施形態では、上方の位置決め部を２つ設けた例を示したが、本発明はこれに限らない。上方の位置決め部は、下方の位置決め部と同じように２対の４つの位置決め部で構成してもよい。
【符号の説明】
【００６２】
１０  リアキャビネット（後側筺体）
１１  位置決め部（突起部、第１突起部）
１２  位置決め部（突起部、第２突起部）
１３  位置決め部（突起部、第３突起部）
３０  導光板
３１  凹部
３１ａ〜３１ｈ  凹部
３５  液晶セル
４０  液晶モジュール
４５  シート
５０  ＬＥＤ（光源）
６０  フロントキャビネット（前側筺体）
７０  チューナ（受信部）
８０  キャビネット（筺体）
１００  液晶テレビジョン装置（液晶表示装置）
【図１】
2012220762.tif 000003
【図２】
2012220762.tif 000004
【図３】
2012220762.tif 000005
【図４】
2012220762.tif 000006
【図５】
2012220762.tif 000007
【図６】
2012220762.tif 000008
【図７】
2012220762.tif 000009
【図８】
2012220762.tif 000010
【図９】
2012220762.tif 000011